(57)【要約】【課題】場の雰囲気を損なうことなくお客に対して楽曲の選曲を勧めることができるカラオケ装置を提供する。【解決手段】カラオケ装置は、曲選択部を介して選択された演奏曲を音出力すると共に入力された音声を音出力するカラオケ装置であって、曲選択部を介する演奏曲の選択が所定時間なされていない場合に、演奏曲の選択を促す音声を発生する音声発生部を備えている。【選択図】図１
0003206607.tif 000002
【実用新案登録請求の範囲】
【請求項１】
曲選択部を介して選択された演奏曲を音出力すると共に入力された音声を音出力するカラオケ装置であって、前記曲選択部を介する演奏曲の選択が所定時間なされていない場合に、演奏曲の選択を促す音声を発生する音声発生部を備えたことを特徴とするカラオケ装置。
【請求項２】
前記音声発生部は、前回の演奏曲の音出力終了時点から経過時間が所定値を超えた場合に、演奏曲の選択を促す予め定めた音声を発生するように構成されていることを特徴とする請求項１に記載のカラオケ装置。
【請求項３】
前記曲選択部による演奏曲の選択が所定時間なされていない場合に、前記音声発生部からの音声に合わせて演奏曲の選択を促す予め定めた画像を表示する画像表示部をさらに備えていることを特徴とする請求項１又は２に記載のカラオケ装置。
【考案の詳細な説明】
【技術分野】
【０００１】
本考案は、特に店舗等で使用されるカラオケ装置において、楽曲の選択や歌唱の見合わせによって座が白けてしまうことを防止できるカラオケ装置に関する。
【背景技術】
【０００２】
カラオケボックス、飲食店、及び宿泊施設等の店舗においてカラオケ装置を使用する際に、歌うことに対するお客の遠慮や羞恥心から、楽曲の選択や歌唱を互いに見合わせ、座が白けてしまうことがしばしば発生する。
【０００３】
このように座が白けることを抑制するカラオケ装置として、訪れたグループの各人をあらかじめ登録しておき、登録した人のうち、楽曲データの選択を規定時間行っていない人に選曲を促す報知を行うカラオケ装置が提案されている（例えば、特許文献１）。
【先行技術文献】
【特許文献】
【０００４】
【特許文献１】特許第５４８００９０号公報
【考案の概要】
【考案が解決しようとする課題】
【０００５】
しかしながら、この特許文献１に開示されているカラオケ装置は、規定時間楽曲を選曲していない人に対して強制的な報知が行われるため、報知された人の居心地が非常に悪くなってしまうという問題点を有していた。
【０００６】
また、このカラオケ装置は、グループで使用することを前提にしており、しかも、そのグループの各人をあらかじめ登録しておく必要があると共に、登録した人が前回に歌った時刻をも把握しておく必要がある。スナック等の飲食店においては、グループで利用しない客が多く、また、たとえグループで来たとしても各自が名前などを登録することは少ないため、この種のカラオケ装置を使用する対象が制限されてしまう。
【０００７】
従って本考案の目的は、お客が居心地を損なうことなく、しかも、座が白けてしまうことを抑制できるカラオケ装置を提供することにある。
【課題を解決するための手段】
【０００８】
本考案によれば、曲選択部を介して選択された演奏曲を音出力すると共に入力された音声を音出力するカラオケ装置であって、曲選択部を介する演奏曲の選択が所定時間なされていない場合に、演奏曲の選択を促す音声を発生する音声発生部を備えたカラオケ装置が提供される。
【０００９】
所定時間、演奏曲が選択されていない場合に、演奏曲の選択を促す音声（選曲お勧め音声）が出力されるため、お客は、仲間やお店の人に勧められるよりも抵抗感無く楽曲の選択及び歌唱を行うことができる。特に、カラオケ装置が自動的に発声するため、装置自体に対する関心がわいてくる可能性があり、その場合、選曲及び歌唱がよりスムーズとなり、場の雰囲気を損なうことなく座が白けてしまうことを効果的に抑制することができる。
【００１０】
音声発生部は、前回の演奏曲の音出力終了時点から経過時間が所定値を超えた場合に、演奏曲の選択を促す予め定めた音声を発生するように構成されていることがより好ましい。この場合の予め定めた音声とは、例えば、「そろそろ１曲いかがですか・・・」、「そろそろ歌で盛り上がりませんか・・・」、「デュエット曲を歌いませんか・・・」等の音声であることがより好ましいが、これに限定されるものではない。
【００１１】
曲選択部による演奏曲の選択が所定時間なされていない場合に、音声発生部からの音声に合わせて演奏曲の選択を促す予め定めた画像を表示する画像表示部をさらに備えていることも好ましい。選曲お勧め音声に加えて、このような選曲お勧め映像を表示することにより、選曲及び歌唱がよりスムーズにかつ抵抗感なく行われる。
【考案の効果】
【００１２】
本考案によれば、お客は、仲間やお店の人に勧められるよりも抵抗感無く楽曲の選択及び歌唱を行うことができる。特に、カラオケ装置が発声するため、装置自体に対する関心がわいてくる可能性があり、その場合、選曲及び歌唱がよりスムーズとなり、場の雰囲気を損なうことなく座が白けてしまうことを効果的に抑制することができる。
【図面の簡単な説明】
【００１３】
【図１】本考案のカラオケ装置の一実施形態における電気的構成を概略的に示すブロック図である。
【図２】図１のカラオケ装置における選曲お勧め動作処理の流れを示すフローチャートである。
【考案を実施するための形態】
【００１４】
図１は本考案のカラオケ装置の一実施形態における電気的構成を概略的に示している。本実施形態のカラオケ装置は、通信回線を介してカラオケサービス会社のサーバ（図示無し）に接続されたコンピュータシステムから構成されており、このサーバから通信回線を介して楽曲データや楽曲映像データ、その他のデータを定期的に入手する。もちろん、本考案のカラオケ装置は、カラオケサービス会社とは常時通信接続されていない、独立したコンピュータシステムからなるカラオケ装置であっても良い。
【００１５】
同図に示すように、このカラオケ装置は、バス１０を介して互いに接続された中央制御部１１、ハードディスク装置部（ＨＤＤ）１２、入力インタフェース部１３、通信部１４、画像制御部１５及びミキシングアンプ部１６を備えている。
【００１６】
中央制御部１１は、コンピュータシステムの各構成要素をプログラムによって管理及び制御する中枢部であり、ＣＰＵ、ＲＡＭ及びＲＯＭ等を備えている。ハードディスク装置部１２は、中央制御部１１の制御プログラムを記憶していると共に、楽曲データや歌詞データを含むカラオケデータを多数曲分記憶している。さらに、ハードディスク装置部１２は、演奏時にディスプレイ２０に表示するための動画データ、及びこの動画データの処理シーケンスを規定する台本データ等をも記憶している。
【００１７】
入力インタフェース部１３は、カラオケ装置本体の操作パネル１７と、選曲用リモコン１８からの無線又は光（赤外線）信号を受信する受信部１９とに接続されており、これら操作パネル１７又は受信部１９から、選曲された楽曲の番号等が入力されるように構成されている。
【００１８】
通信部１４は、通信回線を介してカラオケサービス会社のサーバに接続されており、このサーバから楽曲データ、楽曲映像データ、その他のデータからなるデジタルコンテンツを定期的に受け取るように構成されている。サーバから定期的に配信されたこれらデジタルコンテンツは、ハードディスク装置部１２に格納される。
【００１９】
画像制御部１５は、液晶ディスプレイやプラズマディスプレイから成るディスプレイ２０に接続されており、中央制御部１１の制御により、動画データに基づく背景動画画像及び歌詞画像をこのディスプレイ２０に表示するように構成されている。
【００２０】
ミキシングアンプ部１６は、マイクロフォン２１及びスピーカ２２に接続されており、伴奏音楽とマイクロフォン２１から入力された歌唱音声とを混合して増幅し、スピーカ２２に出力するように構成されている。
【００２１】
中央制御部１１は、各楽曲のカラオケデータと台本データとを楽曲番号によって識別して管理しており、操作パネル１７又は選曲用リモコン１８から楽曲番号を含む曲選択指示を受け付けると、その楽曲番号をＲＡＭに一時的に記憶し、演奏予約待ち行列として管理する。次いで、待ち行列から楽曲番号を順次取り出し、その楽曲番号に対応するカラオケデータをハードディスク装置部１２から読み出し、読み出したカラオケデータ中の楽曲データをミキシングアンプ部１６に転送してその楽曲の伴奏音楽を発生させる。また、読み出したカラオケデータ中の歌詞データに基づく歌詞画像を伴奏音楽に同期して画像制御部１５へ順次送り出す。さらに、読み出したカラオケデータ中の台本データに基づいて所定の動画データを所定の順番で画像制御部１５へ転送して背景動画を復号させ、この背景動画と歌詞画像とをスーパーインポーズしてディスプレイ２０に表示する。
【００２２】
本実施形態のカラオケ装置における、楽曲の選択及び予約、楽曲の演奏、演奏に伴う背景画像の表示及び歌詞画像の表示、並びにその他の種々の基本的機能の具体的な処理内容は、この技術分野において周知の事項であるため、説明を省略する。本実施形態のカラオケ装置は、このような基本的機能に加えて、図２に示すような選曲お勧め動作処理を実行するように構成されている。
【００２３】
まず、中央制御部１１は、非選曲時間の計測用タイマ（ソフトタイマ）Ｔをゼロにリセットする（ステップＳ１）。その後、中央制御部１１は、操作パネル１７又は選曲用リモコン１８を介して楽曲の選択動作が行われたか否かを判別（監視）する（ステップＳ２）。ステップＳ２において、曲選択動作が行われたと判別した場合（ＹＥＳの場合）、計測用タイマＴをゼロにリセットする（ステップＳ３）。
【００２４】
ステップＳ２において、曲選択動作が行われなかったと判別した場合（ＮＯの場合）、又はステップＳ３のリセット処理の後、計測用タイマＴが閾値、例えば３分に相当する値、を超えたか否かを判別する（ステップＳ４）。この閾値は、３分に限定されることなく、任意に設定可能である。また、閾値を固定することなく、任意に変化できるように構成しても良い。
【００２５】
ステップＳ２において計測用タイマＴが閾値を超えていないと判別した場合（ＮＯの場合）、ステップＳ２へ戻り上述の処理を繰り返す。ステップＳ２において計測用タイマＴが閾値を超えたと判別した場合（ＹＥＳの場合）、予め設定された選曲お勧め音声データをミキシングアンプ部１６へ出力し、スピーカ２２からその音声を発生させる（ステップＳ５）。この場合の選曲お勧め音声とは、例えば、「そろそろ１曲いかがですか・・・」、「そろそろ歌で盛り上がりませんか・・・」、「デュエット曲を歌いませんか・・・」等の音声である。もちろんこれ以外の音声であっても良い。また、この選曲お勧め音声を自由に変更できるように構成しても良い。
【００２６】
このステップＳ５において、選曲お勧め音声に加えて、演奏曲の選択を促す予め定めた画像（選曲お勧め映像）データを画像制御部１５へ出力し、この選曲お勧め映像をディスプレイ２０に表示するようにしても良い。
【００２７】
ステップＳ５の処理が終了した後、選曲お勧め動作を終了するかどうか判別し（ステップＳ６）、終了しないと判別した場合（ＮＯの場合）、ステップＳ１へ戻り、前述した処理を繰り返す。終了すると判別した場合（ＹＥＳの場合）、この選曲お勧め動作処理を終了する。
【００２８】
このような選曲お勧め動作処理を行うことにより、お客は、仲間やお店の人に勧められるよりも抵抗感無く楽曲の選択及び歌唱を行うことができる。特に、カラオケ装置が自動的に発声するため、しゃべるカラオケ装置がおもしろいとして、装置自体に対する関心がわいてくる可能性があり、その場合、選曲及び歌唱がよりスムーズとなり、場の雰囲気を損なうことなく座が白けてしまうことを効果的に抑制することができる。
【００２９】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００３０】
１０  バス
１１  中央制御部
１２  ハードディスク装置部（ＨＤＤ）
１３  入力インタフェース部
１４  通信部
１５  画像制御部
１６  ミキシングアンプ部
１７  操作パネル
１８  選曲用リモコン
１９  受信部
２０  ディスプレイ
２１  マイクロフォン
２２  スピーカ
【図１】
0003206607.tif 000003
【図２】
0003206607.tif 000004